(57)【特許請求の範囲】
【請求項１】
一方端に吸込口、他方端に吐出口を有するケーシングに、送風手段用の回転羽根と、この回転羽根を軸支する回転軸と、前記回転羽根を回転するモータを設けるとともに、このケーシングに間隔をおいて、前記モータを設けた側を基端側とし、この基端側が閉塞された噴霧手段用の筒体と、この筒体に間隔をおいて設けた回転板と、この回転板を回転するモータと、前記回転板に水を圧送するポンプ、並びに前記筒体に設けた水回収用の回収孔を設ける構成の遠心噴霧装置であって、
この筒体に間隔をおいて設けた環状体は、その基端側を、前記ケーシングに設けた後面板を介して閉塞するとともに、その自由端側を開放する構造とし、また、この環状体には、その内面より間隔おいて、内装した凹凸条を設けた円盤形状の回転板を配備し、さらに、この環状体の環状体本体の軸方向で、かつその軸芯方向に突設した多数個の突条と、この突条に隣接して貫通孔を設けるとともに、この環状体の自由端側の内側に、帯環部を設ける構成とした遠心噴霧装置。
【請求項２】
請求項１に記載の遠心噴霧装置であって、
前記多数個の突条及び貫通孔の内側に、前記回転板の環状端部が位置し、この多数個の突条及び貫通孔が、エリミネーターとして機能する構成とした遠心噴霧装置。
【請求項３】
請求項１に記載の遠心噴霧装置であって、
前記環状体の少なくとも表面と、この環状体に設けた多数個の突条の少なくとも表面に、梨子地（ショットブラスト）加工、電飾加工等を介して、微細な凹凸形状を形成し、この環状体からの水滴の飛散を回避する構成とした遠心噴霧装置。
【請求項４】
請求項１に記載の遠心噴霧装置であって、
前記筒体の少なくとも表面に、梨子地（ショットブラスト）加工、電飾加工等を介して、微細な凹凸形状を形成し、この環状体からの水滴の飛散を回避する構成とした遠心噴霧装置。
【請求項５】
請求項１に記載の遠心噴霧装置であって、
前記回転板に水を、ホースを介して吸水し、このホースを、この装置に装備するタンクに接続する構成とした遠心噴霧装置。
【請求項６】
請求項５に記載の遠心噴霧装置であって、
前記タンクには、水位センサを配備し、水の搬送量を随時監視する構成とした遠心噴霧装置。
【請求項７】
請求項１に記載の遠心噴霧装置であって、
前記筒体の開放側の下端部に、水漏れ防止用の防止壁を設ける構成とした遠心噴霧装置。
【発明の詳細な説明】
【技術分野】
【０００１】
本発明は、ハウス、畜舎、工場等の建屋で冷房又は加湿を行うことで、温湿度の偏差を解消し、作物、家畜の生育環境、労働環境の向上に寄与する遠心噴霧装置に関する。
【背景技術】
【０００２】
近時、天候、気象条件に影響を受けずに、作物を栽培し又は家畜を飼育し、年中に亘り、人々が望む食物を収穫するという目的のもと、ビニールハウス等のハウス栽培が重宝されてきた。しかし、これらのハウスは、天井面、妻面に換気扇、循環扇を設置しないとハウス内での外気及び／又は内気の送風又は循環がなく、略密封された空間であるため、ハウス栽培で生育する作物は疫病にかかりやすかった。さらに、畜舎においても、畜舎内の換気が充分に行えないため、畜舎で飼育する豚、牛、鶏等の家禽が疾病にかかりやすく、その生育環境の改善が求められていた。
【０００３】
さらに、作物の種類によっては、温度と湿度の偏差により、作物が結露し、葉核病、疫病等が発生し、収穫量の減少、良質な作物が収穫できなくなり、又、害虫が発生し、ハウス栽培の効率化が図れない等の問題点があった。
【０００４】
また、前記と同様に、工場内においても、工場の占有面積が広大であると、その工場に設けた冷房機器だけ充分な冷房が行えず、作業者にとって、酷であり、昨今多発している熱中症等の病気を併発したりして、安全な労働環境が求められてきた。
【０００５】
そこで、このような問題を解決するための手段として、本願発明のように、細霧及び／又は散霧を噴霧する装置又は方法が開示されていたので、本願発明に係る先行文献調査に基づく公報を幾つか下記に例示する。
【０００６】
まず、第一に挙げられる先行文献としては（文献１とする）、特開２００１−１４１２８８号の「加湿装置」がある。この概要は、送風フアンの送風作用で吸入口を通じて吸入された空気を吐出口へ吐出し、この送風ファンの下側に加湿用の水が貯蔵される水タンクを備えたケーシングと、水タンクの水を水道管に強制圧送するポンプと、ケーシングの吸入口及び吐出口の間に位置し、電動機に連結されて回転し、この送風ファンの中心から放射状に多数形成された長方形の水の噴出溝を通じて水道管から供給された水を粒子状にして噴出する回転体と、回転体の外周縁を覆うように形成され、円周方向に多数のスリット溝が形成され、電動機を覆うハウジングの一側面にネジ固定された固定体とから成立する構成であり、点検及び保守の作業性を向上させ、自由に移動可能な一体型の構造提供することを意図する。
【０００７】
次に、第二に挙げられる先行文献としては（文献２とする）、実用新案登録第３０６８５２５号の「ミストファン及びミストファンキット」がある。この概要は、ミストファンは、送風扇を備えている送風扇枠の前面に、送風扇の羽根径に見合ったサイズで４個の噴出口を有するリング状の送液管を設置し、この送液管に設けられている水供給口から所定の圧力（１ｋｇｆ／ｃｍ２ 〜８ｋｇｆ／ｃｍ２ ）をかけた水を供給すると共に、送風扇を回転させることにより、その風圧で、噴出口から噴霧されてミスト状になった水を温室内に拡散させ、このミストの気化潜熱により、温室内を冷房するものである。そして、このミストファンには、図示の様に、その下方に水受けを設置することにより、送液管において結露した水滴を下方で受け止める様に構成であり、送液管内に消毒液や水を一定以上の圧力をかけて供給すると共に、送風扇を作動させることにより、送液管に設けた噴出口から噴霧されるミストを、ビニールハウス、温室又は畜舎内に拡散させ、これによりビニールハウス、温室又は畜舎内の消毒や気化潜熱による冷房を実行することを意図する。
【０００８】
最後に、第三に挙げられる先行文献としては（文献３とする）、最公表１９９８−０５４３２号の「散霧装置および散霧方法物」がある。この概要は、互いに対向配置された対向円盤の間に中心から外周方向に延びた複数の羽根を挟んで配置したような構造の羽根車を構成し、その中央に、給水用の開口を形成する。また、前記の対向円盤の間の空間に、前記給水開口から流入して来た水が衝突するように複数の邪魔部材を配設する構成であって、ビニールハウスないし温室、畜舎、農作物などに大量の噴霧を行うのに適する散霧装置および散霧方法に関し、簡易な装置によって大量の細霧を発生させ、広い領域に散布可能とすることを意図する。
【０００９】
【特許文献１】特開２００１−１４１２８８号
【特許文献２】実用新案登録第３０６８５２５号
【特許文献３】再公表１９９８−０５４３２号
【発明の開示】
【発明が解決しようとする課題】
【００１０】
文献（１）は、水タンクから加湿用の水を圧送し、この水を噴出溝から粒子状の噴出する構成であるが、この構成上、噴出溝から噴出される粒子の粒が粗くなる（大粒粒子の発生）と考えられる。この大型粒子の発生に伴う問題点として、大型粒子であると、回転板の回転数の上昇又は送風量を大きくしないと、その大型粒子が遠方まで飛散しないこと、また、この回転数では飛散しなかった大型粒子の量が増え、水量を一定量ポンプから圧送しても、その水量の漏れに無駄が生じること、この漏れにより大型粒子の水滴落下による作物又は家畜へ濡れ、疾病発生が生じること、さらに、この大型粒子により、細霧化（微粒粒子による飛散）ができなくなり、本装置の意図する細霧冷房、加湿効果が図れないこと、薬液障害等の２次的な問題まで発生する。なお、この装置を使用することによって、その本来の目的を達成するために、時間と手間がかかることも考えられ、効率よく細霧、噴霧が行うことが出来ないなどの問題が指摘される。
【００１１】
次に、文献（２）は、送風扇枠の前面に、４個の噴出口を有するリング状の送液管を設置し、この噴出口から水を噴霧する構成であるが、この構成上、噴出口の形状が大きいため、前記文献（１）と同様の問題が発生すると考えられる。また、この噴出口を四個に分散して設けてあるため、その送液管の噴出口以外からは、水の噴霧が行われないため、その構成上、水量が一度に多く噴出されず、送風機からの送風量を増加させたとしても、遠方まで噴霧されないこと、また、塵埃の捕捉を意図した場合においては、前述した噴霧能力では、充分な効果は期待できないこと、そして、このことから、多数台の設置が必要となり、メンテナンスの煩雑化、管理に手間がかかること、稼動コストの上昇等の問題も発生する。
【００１２】
最後に、文献（３）も文献（１）、文献（２）とその構成は異なるが、文献（１）と同様に大型粒子が発生し、前述したような問題が発生すると考えられる。
【００１３】
そこで、本発明は、前記の問題点を解決するために、下記の効果を奏する。
（イ）回転板と突条及び／又は貫通孔をエリミネーターとして機能させ、この微細粒子の発生により、微細粒子を遠方まで噴霧及び／又は拡散（飛散）できること、そして、前記回転板の回転で飛散する微細粒子を、遠方まで到達可能となること、また、水及び／又はエネルギー資源の軽減化と、水及び／又は空気の圧送損失の減少化を図り、もって、省エネルギーを図る。
（ロ）各部品の先端側から、水滴の垂れを防止し、作物又は家畜、機械部品、人体等の濡れ防止と、品質の劣化、並びに濡れに起因する疾病防止と、作業者にとっても、安全な作業及び／又は労働環境を提供できる。
（ハ）細霧冷房、加湿効果が図れることで、薬液障害等による２次的な問題発生を回避、かつ予防できること、効率よく作物又は家畜、機械部品、人体等に対して、細霧、噴霧が行えること等の実益がある。
（ニ）また、遠方まで微細粒子を飛散することで、保温性、通気性の向上等を介して、生育環境を整えることで、良質な作物（畜産製品）が提供でき、作物の収穫量の拡充を図ることができる。
（ホ）さらに、遠方までの飛散が可能となり、例えば、設置台数の減少化が図れることから、メンテナンス・その他の管理の容易化、簡略化と、またランニングコスト・エネルギー資源の低廉化・容易化に貢献できること、並びに環境維持が図れる。
【課題を解決するための手段】
【００１４】
請求項１の発明は、上記の（イ）〜（ニ）の目的を達成することを意図する。
【００１５】
請求項１は、一方端に吸込口、他方端に吐出口を有するケーシングに、送風手段用の回転羽根と、この回転羽根を軸支する回転軸と、前記回転羽根を回転するモータを設けるとともに、このケーシングに間隔をおいて、前記モータを設けた側を基端側とし、この基端側が閉塞された噴霧手段用の筒体と、この筒体に間隔をおいて設けた回転板と、この回転板を回転するモータと、前記回転板に水を圧送するポンプ、並びに前記筒体に設けた水回収用の回収孔を設ける構成の遠心噴霧装置であって、
この筒体に間隔をおいて設けた環状体は、その基端側を、前記ケーシングに設けた後面板を介して閉塞するとともに、その自由端側を開放する構造とし、また、この環状体には、その内面より間隔おいて、内装した凹凸条を設けた円盤形状の回転板を配備し、さらに、この環状体の環状体本体の軸方向で、かつその軸芯方向に突設した多数個の突条と、この突条に隣接して貫通孔を設けるとともに、この環状体の自由端側の内側に、帯環部を設ける構成とした遠心噴霧装置である。
【００１６】
請求項２の発明は、請求項１の目的を達成すること、この目的を達成するのに最適な突条及び貫通孔の位置関係を提供することを意図する。
【００１７】
請求項２は、請求項１に記載の遠心噴霧装置であって、
前記多数個の突条及び貫通孔の内側に、前記回転板の環状端部が位置し、この多数個の突条及び貫通孔が、エリミネーターとして機能する構成とした遠心噴霧装置がある。
【００１８】
請求項３の発明は、請求項１の目的を達成すること、この目的を達成するのに最適な環状体に設けた多数個の突条の少なくとも表面に形成した微細な凹凸形状を提供することを意図する。
【００１９】
請求項３は、請求項１に記載の遠心噴霧装置であって、
前記環状体の少なくとも表面と、この環状体に設けた多数個の突条の少なくとも表面に、梨子地（ショットブラスト）加工、電飾加工等を介して、微細な凹凸形状を形成し、この環状体からの水滴の飛散を回避する構成とした遠心噴霧装置である。
【００２０】
請求項４の発明は、請求項１の目的を達成すること、この目的を達成するのに最適な筒体の少なくとも表面に形成した微細な凹凸形状を提供することを意図する。
【００２１】
請求項４は、請求項１に記載の遠心噴霧装置であって、
前記筒体の少なくとも表面に、梨子地（ショットブラスト）加工、電飾加工等を介して、微細な凹凸形状を形成し、この環状体からの水滴の飛散を回避する構成とした遠心噴霧装置である。
【００２２】
請求項５の発明は、請求項１の目的を達成すること、この目的を達成するのに最適なタンクとホースを提供することを意図する。
【００２３】
請求項５は、請求項１に記載の遠心噴霧装置であって、
前記回転板に水を、ホースを介して吸水し、このホースを、この装置に装備するタンクに接続する構成とした遠心噴霧装置である。
【００２４】
請求項６の発明は、請求項５の目的を達成すること、この目的を達成するのに最適な水位センサを提供することを意図する。
【００２５】
請求項６は、請求項５に記載の遠心噴霧装置であって、
前記タンクには、水位センサを配備し、水の搬送量を随時監視する構成とした遠心噴霧装置である。
【００２６】
請求項７の発明は、請求項１の目的を達成すること、この目的を達成するのに最適な水漏れ防止用の防止壁を提供することを意図する。
【００２７】
請求項７は、請求項１に記載の遠心噴霧装置であって、
前記筒体の開放側の下端部に、水漏れ防止用の防止壁を設ける構成とした遠心噴霧装置である。
【発明の効果】
【００２８】
請求項１の発明は、一方端に吸込口、他方端に吐出口を有するケーシングに、送風手段用の回転羽根と、この回転羽根を軸支する回転軸と、前記回転羽根を回転するモータを設けるとともに、このケーシングに間隔をおいて、前記モータを設けた側を基端側とし、この基端側が閉塞された噴霧手段用の筒体と、この筒体に間隔をおいて設けた回転板と、この回転板を回転するモータと、前記回転板に水を圧送するポンプ、並びに前記筒体に設けた水回収用の回収孔を設ける構成の遠心噴霧装置であって、
この筒体に間隔をおいて設けた環状体は、その基端側を、前記ケーシングに設けた後面板を介して閉塞するとともに、その自由端側を開放する構造とし、また、この環状体には、その内面より間隔おいて、内装した凹凸条を設けた円盤形状の回転板を配備し、さらに、この環状体の環状体本体の軸方向で、かつその軸芯方向に突設した多数個の突条と、この突条に隣接して貫通孔を設けるとともに、この環状体の自由端側の内側に、帯環部を設ける構成とした遠心噴霧装置である。
【００２９】
従って、請求項１は、
（イ）回転板と突条及び／又は貫通孔をエリミネーターとして機能させ、この微細粒子の発生により、微細粒子を遠方まで噴霧及び／又は拡散（飛散）できること、そして、前記回転板の回転で飛散する微細粒子を、遠方まで到達可能となること、また、水及び／又はエネルギー資源の軽減化と、水及び／又は空気の圧送損失の減少化を図り、もって、省エネルギーを図ることができること等の特徴を有する。
（ロ）各部品の先端側から、水滴の垂れを防止し、作物又は家畜、機械部品、人体等の濡れ防止と、品質の劣化、並びに濡れに起因する疾病防止と、作業者にとっても、安全な作業及び／又は労働環境を提供できること等の特徴を有する。
（ハ）細霧冷房、加湿効果が図れることで、薬液障害等による２次的な問題発生を回避、かつ予防できること、効率よく作物又は家畜、機械部品、人体等に対して、細霧、噴霧が行えること等の実益ができること等の特徴を有する。
（ニ）また、遠方まで微細粒子を飛散することで、保温性、通気性の向上等を介して、生育環境を整えることで、良質な作物（畜産製品）が提供でき、作物の収穫量の拡充を図ることができること等の特徴を有する。
（ホ）さらに、遠方までの飛散が可能となり、例えば、設置台数の減少化が図れることから、メンテナンス・その他の管理の容易化、簡略化と、またランニングコスト・エネルギー資源の低廉化・容易化に貢献できること、並びに環境維持が図れること等の特徴を有する。
【００３０】
請求項２の発明は、請求項１に記載の遠心噴霧装置であって、
前記多数個の突条及び貫通孔の内側に、前記回転板の環状端部が位置し、この多数個の突条及び貫通孔が、エリミネーターとして機能する構成とした遠心噴霧装置がある。
【００３１】
従って、請求項２は、請求項１の目的を達成すること、この目的を達成するのに最適な突条及び貫通孔の位置関係を提供できること等の特徴を有する。
【００３２】
請求項３の発明は、請求項１に記載の遠心噴霧装置であって、
前記環状体の少なくとも表面と、この環状体に設けた多数個の突条の少なくとも表面に、梨子地（ショットブラスト）加工、電飾加工等を介して、微細な凹凸形状を形成し、この環状体からの水滴の飛散を回避する構成とした遠心噴霧装置である。
【００３３】
従って、請求項３は、請求項１の目的を達成すること、この目的を達成するのに最適な環状体に設けた多数個の突条の少なくとも表面に形成した微細な凹凸形状を提供できること等の特徴を有する。
【００３４】
請求項４の発明は、請求項１に記載の遠心噴霧装置であって、
前記筒体の少なくとも表面に、梨子地（ショットブラスト）加工、電飾加工等を介して、微細な凹凸形状を形成し、この環状体からの水滴の飛散を回避する構成とした遠心噴霧装置である。
【００３５】
従って、請求項４は、請求項１の目的を達成すること、この目的を達成するのに最適な筒体の少なくとも表面に形成した微細な凹凸形状を提供できること等の特徴を有する。
【００３６】
請求項５の発明は、請求項１に記載の遠心噴霧装置であって、
前記回転板に水を、ホースを介して吸水し、このホースを、この装置に装備するタンクに接続する構成とした遠心噴霧装置である。
【００３７】
従って、請求項５は、請求項１の目的を達成すること、この目的を達成するのに最適な筒体の少なくとも表面に形成した微細な凹凸形状を提供できること等の特徴を有する。
【００３８】
請求項６の発明は、請求項５に記載の遠心噴霧装置であって、
前記タンクには、水位センサを配備し、水の搬送量を随時監視する構成とした遠心噴霧装置である。
【００３９】
従って、請求項６は、請求項５の目的を達成すること、この目的を達成するのに最適な水位センサを提供できること等の特徴を有する。
【００４０】
請求項７の発明は、請求項１に記載の遠心噴霧装置であって、
前記筒体の開放側の下端部に、水漏れ防止用の防止壁を設ける構成とした遠心噴霧装置である。
【００４１】
従って、請求項７は、請求項１の目的を達成すること、この目的を達成するのに最適な水漏れ防止用の防止壁を提供できること等の特徴を有する。
【発明を実施するための最良の形態】
【００４２】
本発明の図面の説明をすると、図１は遠心噴霧装置の一例を示した断面側面図、図２は図１の正面図、図３は図１の背面図、図４は図１の環状体の一部を示した斜視断面図、図５は図１の側面図、図６は使用状態を示した第一の参考図、図７は使用状態を示した第二の参考図である。
【００４３】
そこで、本発明の好ましい実施例の主要部及び／又は作用を分節し、この分節にしたがって、下記の構成の順で説明する。
（１）  遠心細霧装置である。
（２）  回転板である。
（３）  環状体である。
（４）  遠心細霧装置の流れの説明である。
（５）  その他の構成である。
【００４４】
（１）遠心細霧装置の説明に関して、
図１を基に、遠心細霧装置１について説明する。この遠心細霧装置１は、開放型の略筒状のケーシング２を外郭体とする構造であり、このケーシング２の一方端２ａを吸込口３とし、他方端２ｂを吐出口４とする。
【００４５】
そして、このケーシング２の一方端２ａの内方は、送風手段用の回転羽根６を設ける。この回転羽根６は、ケーシング２に内装したモータ８の出力軸７に軸支することで、このモータ８の回転で、回転羽根６及び出力軸７が所定の回転数で回転し、ケーシング２の他方端２ｂ（吐出口４）に向って、送風する。即ち、回転羽根６は、ハウス、畜舎、工場等の建屋Ａ（以下、建屋Ａとする）内に滞留、又は循環する内気及び／又は外気の吸込みと送風する構造である。従って、この目的を達するのであれば、回転羽根６の形状、枚数、取り付け位置等は限定されない。この回転羽根６のケーシング２の内周面との間に、間隔を有する。
【００４６】
一方、このケーシング２の他方端２ｂの内方には、噴霧手段用の筒体１０が前記ケーシング２の内面から間隙を設け、設置する。この間隙は、前記回転羽根６で生成された風の送風通路となる。なお、この筒体１０の基端側１０ａ（モータ側）には、その内面に所定の間隔を設けて環状体１１が内装されている。そして、この環状体１１は、その軸方向（Ｘ方向）において、筒体１０の幅の略半分の幅としたことで、この筒体１０の自由端側１０ｂに帯状の環体部１０ｃを形成する。この環体部１０ｃは、後述するホースの設置場所を確保することと、後述する回転板からの水滴が、仮に垂れる場合でも、この水滴を受入れる構造（水の回収に役立つ構造）とし、水滴で発生する弊害を回避する。この筒体１０の後端に設けた内側鍔片に、環状体１１の後端内鍔片を添接し、螺子１４を介して両者を一体とし、かつこの両者間に、隙間を形成する。またこの筒体１０の後端は、モータケース８０００（モータ８も可能）の外周の放射方向に設けた後面板１０００を介して、このモータ８に支持されるとともに、ケーシング２の内面との間に間隔をおいて、内装される構造である。
【００４７】
さらに、この環状体１１には、その内面より間隔を設けて凹凸条を設けた円盤（浅皿）形状の回転板１２が内装されている。この回転板１２の後端は、前記後面板１０００でカバーされるとともに、この回転板１２は、前記モータケース８０００（ケーシング２も可能）に設けたモータ１３の出力軸１３ａに固止されている。従って、この回転板１２は、モータ１３の回転を介して、適宜の回転数で回る。なお、この回転板１２の円盤形状の凹凸条は、給水手段から供給される水を、その広い表面で捉え、かつ滞留時間を確保することと、水を放射方向に端部に、確実に流動するために設けられている。また強度の向上及び／又は肉薄化が図れる特徴がある。そして、この凹凸条の形状及び／又は本数は、限定されない。
【００４８】
（２）回転板の説明に関して、
回転板１２は、その中心のボス部が、モータ１３の出力軸１３ａに軸支されており、前述の如く、モータ１３の運転により回転する。なお、この回転体１２は、前記環状体１１に内装できる径であり、この環状体１１に接触せずに、スムーズかつ盲動することなく回転するので、水の飛散及び／又は噴霧と、水の効率的な利用、又は風圧の損失の回避等が図れる。
【００４９】
そして、この回転板１２には、水を供給するためホース２１の開口が隣接して設けられている。このホース２１の下端は、水を貯留するタンク２０にあり、このタンク２０は、ケーシング２の下部に添設、又は別置きされている。なお、このタンク２０の貯水量を適宜調整するため、タンク２０に水位センサ２２を配備する。図示しないが、この水位センサ２２は、電磁弁が配備した構成例では、水道等の給水設備から、随時水の供給又は停止を調整できる役割を果たす。図中２３は、この水道等の給水設備から水の供給を行う供給口である。そして、２５は、ポンプであり、前記供給口２３から供給された水を随時搬送する。
【００５０】
２４は、噴霧量を調整するために、ケーシング２に添設又は別置きされた調整バルブである。なお、この調整バルブ２４は、正転することで噴霧量を減少し、反転することで噴霧量を増加させる構造とする。
【００５１】
（３）環状体の説明に関して、
環状体１１は、上記に説明したように、環状体１１の基端側１１ａは、後面板１０００を介して閉塞し、その自由端側１１ｂは開放している構造である。なお、環状体１１は、軸方向（筒体の長さ）において、基端側１１ａより略中心位置（軸方向の略２分の１）で、その軸芯方向に、多数個の突条１１０が形成される。この突条１１０の端部は、前記回転板１２の環状端部の近傍に位置する構成である。なお、この突条１１０は、前記環状体１１を穿孔し、軸芯方向に立設させるため、環状体１１には、適宜間隔を設けた多数の貫通孔１１１が形成される。その他の構造として、この突条１１０及び貫通孔１１１の形状は、原則として、その形状は限定されない。これは、突条１１０及び貫通孔１１１を、エリミネーターとして機能させることから、水が突条１１０に衝突して、微細粒子となる必要があり、その形状は、回転板１２より飛散される、水が衝突し易い形状が望ましい。そして、この突条１１０をプレス成形する構造では、貫通孔１１１は、突条１１０と相似形状となる。また、この環状体１１の自由端側１１ｂより略中心位置（軸方向の略２分の１）で、この突条１１０及び貫通孔１１１が設けられてない部位に帯環部１１２を設ける。この帯環部１１２は、突条１１０及び貫通孔１１１を介して、飛散及び／又は噴霧されなかった水を、筒体１０の下端部に設けた水回収用の回収孔１００に、誘導するものであり、水道としての役割をする。この構造で、環状体１１から、筒体１０への水の流れ（水滴の流れ）と、水滴の飛散防止を図る。
【００５２】
そして、帯環部１１２を、水道として役割を果たすために、環状体１１及び／又は多数個の突条１１０の表面に、梨子地（ショットブラスト）加工、電飾加工等の加工を施し、その表面を微細な凹凸形状を形成する。この凹凸形状は、回転板１２の回転により拡散又は飛散（飛散とする）された水が、突条１１０に衝突して、微細粒子となる。この微細粒子を、環状体１１及び／又は突条１１０の表面に残留させるために形成されたものであり、この凹凸形状を介して、微細粒子の残留を確保する構造である。即ち、この微細粒子の表面張力で、球状となることを回避し、この表面上に残留し易くするためである。この残留効果は、水滴の発生回避と、その飛散をなくして、水の垂れをなくすこと、並びにこれらに纏わる前述の各弊害解消と、水の有効利用と、また省エネルギーの確保等を図ることができる。
【００５３】
また、この梨子地（ショットブラスト）加工、電飾加工は、前記環状体１１の表面、突条１１０の表面に限定されず、前述の構造及び効果から、筒体１０の少なくとも表面にも、これらの加工を施す。
【００５４】
（４）遠方噴霧装置における流れの説明に関して、
この遠方噴霧装置の構造は、詳述したので、この遠方噴霧装置の水の流れ、風の流れについて、以下に説明する。
【００５５】
まず、回転羽根６の吸引により吸い込まれた建屋Ａの内気及び／又は外気は、ケーシング２の吸込口３から吐出口４の方向へと順送される。
【００５６】
また、前記タンク２０よりホース２１を介して圧送された水が、回転板１２の回転（遠心力）で飛散される。この飛散により、水は、環状体１１に設けた多数の突条１１０又は貫通孔１１１に衝突し、エリミネーターとして、総合的な粒子の微細化を行い、微細粒子を形成する。
【００５７】
こうして形成された微細粒子は、前記表面に加工された凹凸形状のため、その帯環部１１２で残留し、前記送風により、吐出口４から送風される。なお、この送風で送出できなかった水又は大型粒子（微細粒子よりも大きな粒子とする）は、帯環部１１２を流れ、筒体１０の下部に設けた水回収用の回収孔１００まで流入する。この回収孔１００まで流入した水は、タンク２０に貯留され、噴霧手段として、再利用される。この帯環部１１２を流れる水は、筒体１０にも流れこむ構造であり、水が大量に流れこんだ場合には、その水が筒体１０外へと流出する危険性も生じる。そのため、筒体１０の開放側の下端部に、水漏れ防止用の防止壁１０１を設置する。従って、この筒体１０より、その外側に、水が溢れることなく、回収孔１００によって、スムーズに回収される。また、この防止壁１０１を設置することで、水量を一定量ポンプから圧送する際も、その水量に無駄が生じなくなること、水の有効利用と、また省エネルギーの確保等を図ることができる。なお、この防止壁１０１は、その両端を少し折り曲げ形成することで、水滴の垂れを効率的に補集することもでき、回収孔１００への水の回収率の向上が務まる。
【００５８】
（５）その他の構成について説明に関して、
ケーシング２には、その上部に吊り具４０を係止する係止部材４１を数箇所備えており、この係止部材４１を介して、建屋Ａにおける作業者が望む位置、向きに設置することが可能となる。
【００５９】
また、この吊り具４０の長さを変更することにより、遠心細霧装置１は、水平状態から俯角調整を行うことも可能である。この俯角調整が可能となることより、作物へ直接的な加湿及び冷却が行え、遠方まで微細粒子を噴霧することで、保温性、通気性の向上等の生育環境を整えることを図り、良質な作物が提供でき、作物の収穫量の拡充を図ることができる。ただし、この俯角幅は、水の流路となる帯環部１１２から水が溢れることもあるため、限定されない。なお、この水の溢れを防止するためにも、前記防止壁１０１の高さ、大きさ、形状を変更する構造が考えられるが、送風による風圧の損失、微細粒子が防止壁１０１に衝突することも考慮しなければならない。
【図面の簡単な説明】
【００６０】
【図１】図１は遠心噴霧装置の一例を示した断面側面図
【図２】図２は図１の正面図
【図３】図３は図１の背面図
【図４】図４は図１の環状体の一部を示した斜視断面図
【図５】図５は図１の側面図
【図６】図６は使用状態を示した第一の参考図
【図７】図７は使用状態を示した第二の参考図
【符号の説明】
【００６１】
１          遠心細霧装置
２          ケーシング
２ａ        一方端
２ｂ        他方端
３          吸込口
４          吐出口
６          回転羽根
７          回転軸
８          モータ
８０００    モータケース
１０        筒体
１０ａ      基端側
１０ｂ      自由端側
１０ｃ      環体部
１００      回収孔
１０１      防止壁
１０００    後面板
１１        環状体
１１ａ      基端側
１１ｂ      自由端側
１１０      突条
１１１      貫通孔
１１２      帯環部
１２        回転板
１３        モータ
１３ａ      出力軸
１４        螺子
２０        タンク
２１        ホース
２２        水位センサ
２３        供給口
２４        調整バルブ
２５        ポンプ
４０        吊り具
４１        係止部材
Ａ          建屋
【図１】
0005004728.tif 000002
【図２】
0005004728.tif 000003
【図３】
0005004728.tif 000004
【図４】
0005004728.tif 000005
【図５】
0005004728.tif 000006
【図６】
0005004728.tif 000007
【図７】
0005004728.tif 000008